(57)【要約】【課題】操作点が１箇所でありながら、安定した高い密閉性能を確保できる扉の多点締込みロック装置を提供する。【解決手段】駆動主軸１１の正逆回転によって上位垂直サポート部材６と下位垂直サポート部材１０が垂直方向に進退し、それぞれデルタ板形状の上位コネクタ部材４と下位コネクタ部材８を介して、上位水平サポート部材５と下位水平サポート部材９が水平方向に進退することによって、複数個の第１ロック部材１５が筐体１６の上側水平辺部１７に、複数個の第２ロック部材１８が筐体１６の垂直辺部１９に、複数個の第３ロック部材２０が筐体１６の下側水平辺部２１に、そして、複数個の第４ロック部材２２が筐体１６の垂直辺部１９に、それぞれ同時に係脱する。【選択図】　　図１
2004019163.tif 000002
【特許請求の範囲】
【請求項１】
扉１の自由端側の垂直辺２と上側水平辺３が交差する隅部にデルタ板形状の上位コネクタ部材４を配置し、上位コネクタ部材４をその下部角部において扉１側に枢着し、扉１の上側水平辺３に沿って水平方向に移動案内させて上位水平サポート部材５を扉１側に取付け、上位コネクタ部材４を二つの上部角部の一方において上位水平サポート部材５の基端に枢着し、扉１の前記垂直辺２に沿って垂直方向に移動案内させて上位垂直サポート部材６を扉１側に取付け、上位コネクタ部材４を二つの上部角部の他方において上位垂直サポート部材６の上端に枢着し、
扉１の前記垂直辺２と下側水平辺７が交差する隅部にデルタ板形状の下位コネクタ部材８を配置し、下位コネクタ部材８をその上部角部において扉１側に枢着し、扉１の下側水平辺７に沿って水平方向に移動案内させて下位水平サポート部材９を扉１側に取付け、下位コネクタ部材８を二つの下部角部の一方において下位水平サポート部材９の基端に枢着し、扉１の前記垂直辺２に沿って垂直方向に移動案内させて下位垂直サポート部材１０を扉１側に取付け、下位コネクタ部材８を二つの下部角部の他方において下位垂直サポート部材１０の下端に枢着し、扉１の外部から回転力が入力される駆動主軸１１を扉１側に装備し、駆動主軸１１の内端に駆動レバー部材１２をその中間点において固着し、駆動レバー部材１２の一方端に上位連動アーム部材１３の下端を枢着し、上位連動アーム部材１３の上端に上位垂直サポート部材６の下端を枢着し、駆動レバー部材１２の他方端に下位連動アーム部材１４の上端を枢着し、下位連動アーム部材１４の下端に下位垂直サポート部材１０の上端を枢着し、
扉１の上側水平辺３に沿って複数個の第１ロック部材１５をその中間部において扉１側に枢着し、駆動主軸１１の正逆回転によって上位水平サポート部材５が水平方向に進退するとき、第１ロック部材１５の先端部が筐体１６の上側水平辺部１７に係脱するように、第１ロック部材１５の基端部を上位水平サポート部材５に枢着し、
扉１の前記垂直辺２に沿って複数個の第２ロック部材１８をその中間部において扉１側に枢着し、駆動主軸１１の正逆回転によって上位垂直サポート部材６が垂直方向に進退するとき、第２ロック部材１８の先端部が筐体１６の垂直辺部１９に係脱するように、第２ロック部材１８の基端部を上位垂直サポート部材６に枢着し、
扉１の下側水平辺７に沿って複数個の第３ロック部材２０をその中間部において扉１側に枢着し、駆動主軸１１の正逆回転によって下位水平サポート部材９が水平方向に進退するとき、第３ロック部材２０の先端部が筐体１６の下側水平辺部２１に係脱するように、第３ロック部材２０の基端部を下位水平サポート部材９に枢着し、
扉１の前記垂直辺２に沿って複数個の第４ロック部材２２をその中間部において扉１側に枢着し、駆動主軸１１の正逆回転によって下位垂直サポート部材１０が垂直方向に進退するとき、第４ロック部材２２の先端部が筐体１６の垂直辺部１９に係脱するように、第４ロック部材２２の基端部を下位垂直サポート部材１０に枢着してなる扉用多点締込みロック装置。
【発明の詳細な説明】
【０００１】
【発明が属する技術分野】本発明は、大型通信機器筐体などに使用される扉の多点締込みロック装置に関するものである。
【０００２】
【従来の技術】通常の大型通信機器筐体では、ロックハンドル装置のロック板による密閉方式が主流である。
この方式では、扉の左右一側に装着したヒンジによって扉を筐体に回転可能に連結し、扉の左右他側の１箇所に装着したロックハンドル装置の施錠軸にロック板を連動装備し、ヒンジ軸を中心に扉を閉鎖回転させた後、施錠軸を操作ハンドルで回して前記ロック板を筐体側の受金部に迫り合い係合させ、これによって扉と筐体間に装着したパッキングを締め込み圧縮している。
【０００３】
しかしながら、この密閉方式では、扉に反りや捻れが発生した場合、ロック板と受金部の迫り合い係合が不十分となり、これがパッキングの圧縮不足となって密閉性能が低下する懸念がある。
扉の反りや捻れに対抗するために扉にロックハンドル装置を多数箇所に装着することも考えられるが、多数のロックハンドル装置を操作するのは非常に煩わしいばかりか、どれか一つ又は幾つかの操作忘れによって所期の密閉性能が得られないことがある。
【０００４】
また、多数個のロックハンドル装置を設けた場合には、全てのロックハンドル装置による締め込み操作は同時に実行されなければならない。その、理由は、一部のロックハンドル装置のロック棒が先に操作されると、未操作のロックハンドル装置のロック棒が担当する個所にあるパッキングが、既操作箇所の圧縮変形の逃げとして膨らんでしまうため、扉が斜めに浮き出てしまい、未操作のロック棒が筐体側の対応する受金部から係合不可能な程度に離れてしまうからである。
このような多数箇所のロックハンドル装置を同時に締め込み操作するには、一人の作業員では不可能であり、複数の作業員を担当させる必要がある。
【０００５】
【発明が解決しようとする課題】したがって本発明の目的は、操作点が１箇所であるにもかかわらず、パッキングの締付けを扉の三辺の全長にわたってほぼ均等かつ的確に行なえ、安定した密閉性能を確保することができる扉用多点締込みロック装置を提供することである。
本発明の別の目的は、運動方向の変換機構やロック部材の駆動機構が簡略化され、製作加工コストが節減される扉用多点締込みロック装置を提供することである。
【０００６】
【課題を解決するための手段】以下、添付図面中の参照符号を用いて説明すると、本発明の扉用多点締込みロック装置では、扉１の自由端側の垂直辺２と上側水平辺３が交差する隅部にデルタ板形状の上位コネクタ部材４を配置し、上位コネクタ部材４をその下部角部において扉１側に枢着し、扉１の上側水平辺３に沿って水平方向に移動案内させて上位水平サポート部材５を扉１側に取付け、上位コネクタ部材４を二つの上部角部の一方において上位水平サポート部材５の基端に枢着し、扉１の前記垂直辺２に沿って垂直方向に移動案内させて上位垂直サポート部材６を扉１側に取付け、上位コネクタ部材４を二つの上部角部の他方において上位垂直サポート部材６の上端に枢着する。
【０００７】
扉１の前記垂直辺２と下側水平辺７が交差する隅部にデルタ板形状の下位コネクタ部材８を配置し、下位コネクタ部材８をその上部角部において扉１側に枢着し、扉１の下側水平辺７に沿って水平方向に移動案内させて下位水平サポート部材９を扉１側に取付け、下位コネクタ部材８を二つの下部角部の一方において下位水平サポート部材９の基端に枢着し、扉１の前記垂直辺２に沿って垂直方向に移動案内させて下位垂直サポート部材１０を扉１側に取付け、下位コネクタ部材８を二つの下部角部の他方において下位垂直サポート部材１０の下端に枢着し、扉１の外部から回転力が入力される駆動主軸１１を扉１側に装備し、駆動主軸１１の内端に駆動レバー部材１２をその中間点において固着し、駆動レバー部材１２の一方端に上位連動アーム部材１３の下端を枢着し、上位連動アーム部材１３の上端に上位垂直サポート部材６の下端を枢着し、駆動レバー部材１２の他方端に下位連動アーム部材１４の上端を枢着し、下位連動アーム部材１４の下端に下位垂直サポート部材１０の上端を枢着する。
【０００８】
扉１の上側水平辺３に沿って複数個の第１ロック部材１５をその中間部において扉１側に枢着し、駆動主軸１１の正逆回転によって上位水平サポート部材５が水平方向に進退するとき、第１ロック部材１５の先端部が筐体１６の上側水平辺部１７に係脱するように、第１ロック部材１５の基端部を上位水平サポート部材５に枢着し、
扉１の前記垂直辺２に沿って複数個の第２ロック部材１８をその中間部において扉１側に枢着し、駆動主軸１１の正逆回転によって上位垂直サポート部材６が垂直方向に進退するとき、第２ロック部材１８の先端部が筐体１６の垂直辺部１９に係脱するように、第２ロック部材１８の基端部を上位垂直サポート部材６に枢着する。
【０００９】
扉１の下側水平辺７に沿って複数個の第３ロック部材２０をその中間部において扉１側に枢着し、駆動主軸１１の正逆回転によって下位水平サポート部材９が水平方向に進退するとき、第３ロック部材２０の先端部が筐体１６の下側水平辺部２１に係脱するように、第３ロック部材２０の基端部を下位水平サポート部材９に枢着し、
扉１の前記垂直辺２に沿って複数個の第４ロック部材２２をその中間部において扉１側に枢着し、駆動主軸１１の正逆回転によって下位垂直サポート部材１０が垂直方向に進退するとき、第４ロック部材２２の先端部が筐体１６の垂直辺部１９に係脱するように、第４ロック部材２２の基端部を下位垂直サポート部材１０に枢着する。
【００１０】
【発明の作用】この扉用多点締付けロック装置では、図１に示したように扉１が筐体１６に締付けロックされているときには、連動レバー部材１２は両端を結ぶ長軸が水平線に対してほぼ４５度に傾斜した位置にあり、上位連動アーム部材１３は、連動レバー部材１２との枢着点が駆動主軸１１に立てた垂直線より左側に来ている最上限位置にあり、上位垂直サポート部材６は最も押し上げられた前進位置にあり、上位コネクタ部材４は、上位垂直サポート部材６との枢着点及び上位水平サポート部材５との枢着点が同じ水平高さに来ている倒立位置にあり、上位水平サポート部材５はヒンジ２４側に押し動かされた前進位置にある。他方、下位連動アーム部材１４は、連動レバー部材１２との枢着点が駆動主軸１１に立てた垂直線より右側に来ている最下限位置にあり、下位垂直サポート部材６は最も押し下げられた前進位置にあり、下位コネクタ部材８は、下位垂直サポート部材１０との枢着点及び下位水平サポート部材９との枢着点が同じ水平高さに来ている正立位置にあり、下位水平サポート部材９はヒンジ２４側に押し動かされた前進位置にある。
第２ロック部材１８について図１２に示したように、各ロック部材の先端部は筐体１６の各辺部と密接係合している。
【００１１】
扉１の正面側に装備されたロックハンドル装置２５を操作して駆動主軸１１を解錠方向に回したときには、図１において駆動レバー部材１２が反時計回り方向に回動するため、上位連動アーム部材１３は、連動レバー部材１２との枢着点が駆動主軸１１を通る水平線の下側に来るように牽引され、上位垂直サポート部材６は最も引き下げられた後退位置に牽引される。この上位垂直プレート部材６の牽引によって、第２ロック部材１８と上位垂直プレート部材６との枢着点が下降するため、第２ロック部材１８は扉１側との枢着点を中心に図１において時計回り方向に回動し、図１３に示したように第２ロック部材１８の先端部が筐体１６の垂直辺部１９から離脱する。
また、上位垂直プレート６の下向きの後退移動にともなって、上位コネクタ部材４が扉１側との枢着点を中心として図１において反時計回り方向に回動するため、上位水平プレート部材５が図１において最も左側に移動した後退位置に牽引される。この上位水平プレート部材５の牽引によって、第１ロック部材１５と上位水平プレート部材５との枢着点が左側に移動するため、第１ロック部材１５は扉１側との枢着点を中心として図１において時計回り方向に回動し、第１ロック部材１５の先端部が筐体１６の上側水平辺部１７から離脱する。
【００１２】
他方、前記のように駆動主軸１１を解錠方向に回したときには、下位連動アーム部材１４は、連動レバー部材１２との枢着点が駆動主軸１１を通る水平線の上側に来るように牽引され、下位垂直サポート部材１０は最も引き上げられた後退位置に牽引される。この下位垂直プレート部材１０の牽引によって、第４ロック部材２２と下位垂直プレート部材１０との枢着点が上昇するため、第４ロック部材２２は扉１側との枢着点を中心に図１において反時計回り方向に回動し、図１５に示したように第４ロック部材２２の先端部が筐体１６の垂直辺部１９から離脱する。
また、下位垂直プレート１０の上向きの後退移動にともなって、下位コネクタ部材８が扉１側との枢着点を中心として図１において時計回り方向に回動するため、下位水平プレート部材９が図１において最も左側に移動した後退位置に牽引される。この下位水平プレート部材９の牽引によって、第３ロック部材２０と下位水平プレート部材９との枢着点が左側に移動するため、第３ロック部材２０は扉１側との枢着点を中心として図１において反時計回り方向に回動し、第３ロック部材２０の先端部が筐体１６の下側水平辺部２１から離脱する。
【００１３】
このようにして扉１は上側水平辺３と下側水平辺７及び自由端側の垂直辺２の三辺における締付けロックを解除されるため、前記ロックハンドル装置２５などを使用することによって、収蔵機器の点検修理等の作業のために扉１がヒンジ２４を中心に開放される。
【００１４】
扉１を閉鎖した後、駆動主軸１１を施錠方向に回すと、図１において駆動レバー部材１２が時計回り方向に回動するため、上位連動アーム部材１３は、連動レバー部材１２との枢着点が駆動主軸１１を通る水平線の上側に来るように牽引され、上位垂直サポート部材６は最も引き上げられた前進位置に押し動かされる。この上位垂直プレート部材６の上向き前進移動によって、第２ロック部材１８と上位垂直プレート部材６との枢着点が上昇するため、第２ロック部材１８は扉１側との枢着点を中心に図１において反時計回り方向に回動し、図１２に示したように第２ロック部材１８の先端部が筐体１６の垂直辺部１９に係合する。
また、上位垂直プレート６の前進移動にともなって、上位コネクタ部材４が扉１側との枢着点を中心として図１において時計回り方向に回動するため、上位水平プレート部材５が図１において最も右側に移動した前進位置に押し動かされる。この上位水平プレート部材５の右向き前進移動牽引によって、第１ロック部材１５と上位水平プレート部材５との枢着点が右側に移動するため、第１ロック部材１５は扉１側との枢着点を中心として図１において反時計回り方向に回動し、第１ロック部材１５の先端部が筐体１６の上側水平辺部１７に係合する。
【００１５】
他方、前記のように駆動主軸１１を施錠方向に回したときには、下位連動アーム部材１４は、連動レバー部材１２との枢着点が駆動主軸１１を通る水平線の下側に来るように牽引され、下位垂直サポート部材１０は最も引き下げられた前進位置に押し動かされる。この下位垂直プレート部材１０の下向き前進移動によって、第４ロック部材２２と下位垂直プレート部材１０との枢着点が下降するため、第４ロック部材２２は扉１側との枢着点を中心に図１において時計回り方向に回動し、図１４に示したように第４ロック部材２２の先端部が筐体１６の垂直辺部１９に係合する。
また、下位垂直プレート１０の下向き前進移動にともなって、下位コネクタ部材８が扉１側との枢着点を中心として図１において反時計回り方向に回動するため、下位水平プレート部材９が図１において最も右側に移動した前進位置に押し動かされる。この下位水平プレート部材９の右向き前進移動によって、第３ロック部材２０と下位水平プレート部材９との枢着点が右側に移動するため、第３ロック部材２０は扉１側との枢着点を中心として図１において時計回り方向に回動し、第３ロック部材２０の先端部が筐体１６の下側水平辺部２１に係合する。
【００１６】
常法にしたがって、第１ロック部材１５、第２ロック部材１８、第３ロック部材２０及び第４ロック部材２２の各先端部には、筐体１６側との迫り合い係合のための折り曲げがなされており、迫り合い係合の過程でパッキング２３が適度に圧縮変形され、所要の密閉状態が確保される。
【００１７】
【発明の実施の形態】図示の実施例では、扉１の背面側にはチャンネル型材よりなるマウント部材２６が固着されている。マウント部材２６の上方隅部には、図４と図５に示したように上位コネクタ部材４の枢軸ピン２７を固着するための取付孔２８を設けてある。上位コネクタ部材４の下部角部に形成した丸孔状の軸孔２９には、枢軸ピン２７の小径部が相対回転可能に嵌められ、枢軸ピン２７はその中央孔３０と前記取付孔２８を通る首長ビス３１及びナットによって、マウント部材２６に締付け固着される。
【００１８】
図５と図１０に示したように上位コネクタ部材４の二つの上部角部には長孔状の軸孔３２，３３が形成され、上位垂直サポート部材６の上端部には丸孔状の軸孔３４が形成され、上位水平サポート部材５の基端部には丸孔状の軸孔３５が形成されている。上位垂直サポート部材６は軸孔３２と軸孔３４を通る枢軸ピン３６によって上位コネクタ部材４に枢着され、上位水平サポート部材５は軸孔３３と軸孔３５を通る枢軸ピン３７によって上位コネクタ部材４に枢着されている。駆動主軸１１の回転によって上位垂直サポート部材６と上位水平サポート部材５が牽引または押動されるとき、枢軸ピン３６，３７は長孔状の軸孔３２，３３の内壁面のどこかに常時当接しており、運動方向変換機構に緩みが生じないように軸孔３２，３３の形状が設定されている。
【００１９】
図４と図５に示したようにマウント部材２６の垂直部分には、第２ロック部材１８の枢軸ピン３８を固着するための取付孔３９を設けてある。第２ロック部材１８の中間部に形成した丸孔状の軸孔４０には、枢軸ピン３８の小径部が相対回転可能に嵌められ、図１６に示したように枢軸ピン３８はその中央孔４１と前記取付孔３９を通る首長ビス４２及びナット４３によって、マウント部材２６に締付け固着される。
第２ロック部材１８の基端部には長孔状の軸孔４４が形成され、上位垂直サポート部材６の適所には、該軸孔４４に挿入される枢軸ピン４５が植設されている。駆動主軸１１の回転によって上位垂直サポート部材６が牽引または押動されるとき、枢軸ピン４５は長孔状の軸孔４４の内壁面のどこかに常時当接しており、上位垂直サポート部材６の動きに的確に追随して、第２ロック部材１８が締付けロック位置又は解除位置に駆動されるように軸孔４４の形状を設定してある。
【００２０】
図４と図５に示したようにマウント部材２６の垂直部分には、上位垂直サポート部材６のガイドピン４６を固着するための取付孔４７を設けてある。上位垂直サポート部材６の適所に形成された長さ方向のスロット４８には、ガイドピン４６の小径部が相対摺動可能に嵌められ、ガイドピン４６はその中央孔４９と前記取付孔４７を通る首長ビス５０及びナット５１によって、マウント部材２６に締付け固着される。ビス５０の拡大頭部は上位垂直サポート部材６がマウント部材２６から浮き上がらないようにするための抜止め部にもなっている。
【００２１】
図４と図５に示したようにマウント部材２６の水平部分には、上位水平サポート部材５のガイドピン５２を固着するための取付孔５３を設けてある。上位水平サポート部材５の適所に形成された長さ方向のスロット５４には、ガイドピン５２の小径部が相対摺動可能に嵌められ、ガイドピン５２はその中央孔５５と前記取付孔５３を通る首長ビス５６及びナットによって、マウント部材２６に締付け固着される。ビス５６の拡大頭部は、上位水平サポート部材５がマウント部材から浮き上がらないようにするための抜止め部にもなっている。
【００２２】
マウント部材２６の水平部分には、第１ロック部材１５の枢軸ピン５７を固着するための取付孔５８を設けてある。第１ロック部材１５の中間部に形成した丸孔状の軸孔５９には、枢軸ピン５７の小径部が相対回転可能に嵌められ、枢軸ピン５７はその中央孔６０と前記取付孔５８を通る首長ビス６１及びナットによって、マウント部材２６に締付け固着される。
第１ロック部材１５の基端部には長孔状の軸孔６２が形成され、上位水平サポート部材５の適所には、該軸孔６２に挿入される枢軸ピン６３が植設されている。駆動主軸１１の回転によって上位水平サポート部材５が牽引または押動されるとき、枢軸ピン６３は長孔状の軸孔６２の内壁面のどこかに常時当接しており、上位水平サポート部材５の動きに的確に追随して第１ロック部材１５が締付けロック位置又は解除位置に駆動されるように、軸孔６２の形状を設定してある。
【００２３】
図６と図７に示したようにマウント部材２６の下方隅部には、下位コネクタ部材８の枢軸ピン６４を固着するための取付孔６５を設けてある。下位コネクタ部材８の上部角部に形成した丸孔状の軸孔６６には、枢軸ピン６４の小径部が相対回転可能に嵌められ、図１７に示したように枢軸ピン６４はその中央孔６７と前記取付孔６５を通る首長ビス６８及びナットによって、マウント部材２６に締付け固着される。
【００２４】
図７と図１２に示したように下位コネクタ部材８の二つの下部角部には長孔状の軸孔６９，７０が形成され、下位垂直サポート部材１０の下端部には丸孔状の軸孔７１が形成され、下位水平サポート部材９の基端部には丸孔状の軸孔７２が形成されている。下位垂直サポート部材１０は軸孔６９と軸孔７１を通る枢軸ピン７３によって下位コネクタ部材８に枢着され、下位水平サポート部材９は軸孔７０と軸孔７２を通る枢軸ピン７４によって下位コネクタ部材８に枢着されている。駆動主軸１１の回転によって下位垂直サポート部材１０と下位水平サポート部材９が牽引または押動されるとき、枢軸ピン７３，７４は長孔状の軸孔６９，７０の内壁面のどこかに常時当接しており、運動方向変換機構に緩みが生じないように軸孔６９，７０の形状が設定されている。
【００２５】
図６と図７に示したようにマウント部材２６の垂直部分には、第４ロック部材２２の枢軸ピン７５を固着するための取付孔７６を設けてある。第４ロック部材２２の中間部に形成した丸孔状の軸孔７７には、枢軸ピン７５の小径部が相対回転可能に嵌められ、図１７に示したように枢軸ピン７５はその中央孔７８と前記取付孔７６を通る首長ビス７９及びナット８０によって、マウント部材２６に締付け固着される。
第４ロック部材２２の基端部には長孔状の軸孔８１が形成され、下位垂直サポート部材１０の適所には、該軸孔８１に挿入される枢軸ピン８２が植設されている。駆動主軸１１の回転によって下位垂直サポート部材１０が牽引または押動されるとき、枢軸ピン８２は長孔状の軸孔８１の内壁面のどこかに常時当接しており、下位垂直サポート部材１０の動きに的確に追随して、第４ロック部材２２が締付けロック位置又は解除位置に駆動されるように軸孔８１の形状を設定してある。
【００２６】
図６と図７に示したようにマウント部材２６の垂直部分には、下位垂直サポート部材１０のガイドピン８３を固着するための取付孔８４を設けてある。下位垂直サポート部材１０の適所に形成された長さ方向のスロット８５には、ガイドピン８３の小径部が相対摺動可能に嵌められ、ガイドピン８３はその中央孔８６と前記取付孔８４を通る首長ビス８７及びナット８８によって、マウント部材２６に締付け固着される。ビス８７の拡大頭部は下位垂直サポート部材１０がマウント部材２６から浮き上がらないようにするための抜止め部にもなっている。
【００２７】
図６と図７に示したようにマウント部材２６の水平部分には、下位水平サポート部材９のガイドピン８９を固着するための取付孔９０を設けてある。下位水平サポート部材９の適所に形成された長さ方向のスロット９１には、ガイドピン８９の小径部が相対摺動可能に嵌められ、ガイドピン８９はその中央孔９２と前記取付孔９０を通る首長ビス９３及びナットによって、マウント部材２６に締付け固着される。ビス９３の拡大頭部は、下位水平サポート部材９がマウント部材から浮き上がらないようにするための抜止め部にもなっている。
【００２８】
図６と図７に示したようにマウント部材２６の水平部分には、第３ロック部材２０の枢軸ピン９４を固着するための取付孔９５を設けてある。第３ロック部材２０の中間部に形成した丸孔状の軸孔９６には、枢軸ピン９４の小径部が相対回転可能に嵌められ、枢軸ピン９４はその中央孔９７と前記取付孔９５を通る首長ビス９８及びナットによって、マウント部材２６に締付け固着される。
第３ロック部材２０の基端部には長孔状の軸孔９９が形成され、下位水平サポート部材９の適所には、該軸孔９９に挿入される枢軸ピン１００が植設されている。駆動主軸１１の回転によって下位水平サポート部材９が牽引または押動されるとき、枢軸ピン１００は長孔状の軸孔９９の内壁面のどこかに常時当接しており、下位水平サポート部材９の動きに的確に追随して第３ロック部材２０が締付けロック位置又は解除位置に駆動されるように、軸孔９９の形状を設定してある。
【００２９】
上位水平サポート部材５、上位垂直サポート部材６、下位水平サポート部材９、下位垂直サポート部材１０、上位連動アーム部材１３及び下位連動アーム部材１４は、フラットバーによって構成されている。
駆動主軸１１は固定ケーシング１０１に嵌挿されており、固定ケーシング１０１はブラケット金具などを介して扉１に固着されている。図３に示したように駆動主軸１１の内端角軸部１０２は、駆動レバー部材１２の中央部の角孔１０３に相対回転不能に嵌められ、駆動レバー部材１２は座金１０４とボルト１０５によって駆動主軸１１に締付け固着されている。駆動レバー部材１２の各端部には、角孔１０３から等距離の位置に丸孔状の軸孔１０６，１０７が形成されている。上位連動アーム部材１３の下端部には丸孔状の軸孔１０８が形成され、下位連動アーム部材１４の上端部には丸孔状の軸孔１０９が形成されている。上位連動アーム部材１３は軸孔１０６と軸孔１０８を通る枢軸ピン１１０によって駆動レバー部材１２に枢着されている。下位連動アーム部材１４は軸孔１０７と軸孔１０９を通る枢軸ピン１１１によって駆動レバー部材１２に枢着されている。
【００３０】
上位連動アーム部材１３の上端部には丸孔状の軸孔１１２が形成され、下位連動アーム部材１４の下端部には丸孔状の軸孔１１３が形成され、上位垂直サポート部材６の下端部には丸孔状の軸孔１１４が形成され、下位垂直サポート部材１０の上端部には丸孔状の軸孔１１５が形成されている。上位垂直サポート部材６は軸孔１１２と軸孔１１４を通る枢軸ピン１１６によって上位連動アーム部材１３に枢着され、下位垂直サポート部材１０は軸孔１１３と軸孔１１５を通る枢軸ピン１１７によって下位連動アーム部材１４に枢着されている。
駆動主軸１１には、ロックハンドル装置２５の施錠軸１１８が接合されている。ロックハンドル装置２５の操作ハンドル１１９を引き上げてから、施錠軸１１８を操作ハンドル１１９によって回転させると、駆動主軸１１に所要の回転力が与えられる。この駆動主軸１１に回転力を与える方法装置はこれに限定されるものではない。
【００３１】
【発明の効果】以上のように構成された本発明の扉用多点締込みロック装置では、駆動主軸１１の正逆回転によって上位垂直サポート部材６と下位垂直サポート部材１０が垂直方向に進退し、それぞれ上位コネクタ部材４と下位コネクタ部材８を介して、上位水平サポート部材５と下位水平サポート部材９が水平方向に進退することによって、複数個の第１ロック部材１５が筐体１６の上側水平辺部１７に、複数個の第２ロック部材１８が筐体１６の垂直辺部１９に、複数個の第３ロック部材２０が筐体１６の下側水平辺部２１に、そして、複数個の第４ロック部材２２が筐体１６の垂直辺部１９に、それぞれ同時に係脱するものであるから、扉１と筐体１６との間に挿入されたパッキング２３は、扉１の自由端側の垂直辺２、上側水平辺３および下側水平辺７の全長にわたってほぼ均等に必要十分に圧縮変形されることになり、回転操作点が１箇所でありながら、扉１の反りや捻れに関係なく、安定した高い密閉性能で扉１を締め付けロックすることができる。
【００３２】
また、駆動主軸１１の正逆回転による上位垂直サポート部材６と下位垂直サポート部材１０の垂直方向への進退動作は、それぞれ上位コネクタ部材４と下位コネクタ部材８によって、上位水平サポート部材５と下位水平サポート部材９の水平方向への進退動作に変換して伝えられ、この上位水平サポート部材５と下位水平サポート部材９の進退動作によって、第１ロック部材１５、第２ロック部材１８、第３ロック部材２０および第４ロック部材２２が締込みロック位置又は解除位置に駆動されるものであるが、この上位コネクタ部材４と下位コネクタ部材８はデルタ板形状であって、三つの角部の一つにおいて扉１側に枢着され、残る二つの角部において上位水平サポート部材５と下位水平サポート部材９並びに上位垂直サポート部材６と下位垂直サポート部材１０に枢着されるだけのものであるから、また、第１ロック部材１５、第２ロック部材１８、第３ロック部材２０および第４ロック部材２２は、その中間部において扉１側に枢着され，基端部において上位水平サポート部材５、上位垂直サポート部材６、下位水平サポート部材９、下位垂直サポート部材１０に枢着されるだけのものであるから、扉１の隅部における運動変換機構および各ロック部材の駆動機構は簡略化されたものとなり、ロック装置全体の製作加工コストを容易に節減することができる。
また、ワイヤーやベルト等を伝動手段に用いた場合とことなり、伸縮誤差による締め付け不足を発生することもない。
【図面の簡単な説明】
【図１】本発明の一実施例に係る扉用多点締込みロック装置の概略的な正面図であり、扉は締付けロック状態にある。
【図２】図１のロック装置の概略的な右側面図である。
【図３】図１のロック装置に組み込まれる駆動主軸、連動レバー部材、上位連動アーム部材及び下位連動アーム部材の背面側からの分解斜視図である。
【図４】図１のロック装置に使用するマウント部材の上方部分の背面側からの分解斜視図である。
【図５】図１のロック装置においてマウント部材に組み込まれる上位水平サポート部材、上位垂直サポート部材、上位コネクタ部材及び第２ロック部材の背面側からの分解斜視図である。
【図６】図１のロック装置に使用するマウント部材の下方部分の背面側からの分解斜視図である。
【図７】図１のロック装置においてマウント部材に組み込まれる下位水平サポート部材、下位垂直サポート部材、下位コネクタ部材及び第４ロック部材の背面側からの分解斜視図である。
【図８】図１のロック装置における駆動主軸と駆動レバー部分の拡大側面図である。
【図９】図１のロック装置に使用した駆動レバーの拡大正面図である。
【図１０】図１のロック装置に使用した上位コネクタ部材の拡大正面図である。
【図１１】図１のロック装置に使用した下位コネクタ部材の拡大正面図である。
【図１２】図１のロック装置に使用した第２ロック部材の締付けロック状態の拡大正面図である。
【図１３】図１２の第２ロック部材の解錠状態の拡大正面図である。
【図１４】図１のロック装置に使用した第４ロック部材の締付けロック状態の拡大正面図である。
【図１５】図１４の第４ロック部材の解錠状態の拡大正面図である。
【図１６】図１のＡ−Ａ線拡大断面図である。
【図１７】図１のＢ−Ｂ線拡大断面図である。
【図１８】図１のロック装置に使用した第１ロック部材の締付けロック状態の拡大正面図である。
【図１９】図１８の第２ロック部材の解錠状態の拡大正面図である。
【図２０】図１のロック装置に使用した第３ロック部材の締付けロック状態の拡大正面図である。
【図２１】図２０の第３ロック部材の解錠状態の拡大正面図である。
【符号の説明】
１　扉
２　垂直辺
３　上側水平辺
４　上位コネクタ部材
５　上位水平サポート部材
６　上位垂直サポート部材
７　下側水平辺
８　下位コネクタ部材
９　下位水平サポート部材
１０　下位垂直サポート部材
１１　駆動主軸
１２　駆動レバー部材
１３　上位連動アーム部材
１４　下位連動アーム部材
１５　第１ロック部材
１６　筐体
１７　上側水平辺部
１８　第２ロック部材
１９　垂直辺部
２０　第３ロック部材
２１　下側水平辺部
２２　第４ロック部材
２３　パッキング
２４　ヒンジ
２５　ロックハンドル装置
２６　マウント部材
【図１】
2004019163.tif 000003
【図２】
2004019163.tif 000004
【図３】
2004019163.tif 000005
【図４】
2004019163.tif 000006
【図５】
2004019163.tif 000007
【図６】
2004019163.tif 000008
【図７】
2004019163.tif 000009
【図８】
2004019163.tif 000010
【図９】
2004019163.tif 000011
【図１０】
2004019163.tif 000012
【図１１】
2004019163.tif 000013
【図１２】
2004019163.tif 000014
【図１３】
2004019163.tif 000015
【図１４】
2004019163.tif 000016
【図１５】
2004019163.tif 000017
【図１６】
2004019163.tif 000018
【図１７】
2004019163.tif 000019
【図１８】
2004019163.tif 000020
【図１９】
2004019163.tif 000021
【図２０】
2004019163.tif 000022
【図２１】
2004019163.tif 000023